(57)【特許請求の範囲】
【請求項１】
セパレータの両側に分極性電極、両分極性電極の外側に集電極を積層して形成した長尺のセルシート基材を、所定長毎に異なる方向に交互に折り返して積層セルを構成すると共に、
積層セルの一側の各折り返し部における外層部位の集電極に一方の集電体を接触させることで導通させ、他側の各折り返し部における外層部位の集電極に他方の集電体を接触させることで導通させてなり、
前記積層セルならびに各集電体を収容するケースと、前記ケースの開口部内縁に嵌められる嵌合部に、内側に屈曲させた加圧固定部を形成させた蓋を設け、前記ケースの前記開口部内縁に前記蓋が嵌められ、前記ケースの開口端と前記蓋の嵌合上端部とが溶接され、前記蓋を介して前記積層セルに積層方向に所定の面圧を加えることを特徴とする電気二重層キャパシタ。
【請求項２】
前記積層セルはケース内において前記セルシート基材を所定長毎に異なる方向に交互に折り返して構成されることを特徴とする請求項１に記載の電気二重層キャパシタ。
【請求項３】
各集電体はそれぞれケース内の対向する側面部分に配設されることを特徴とする請求項１に記載の電気二重層キャパシタ。
【請求項４】
前記加圧固定部を塑性伸張して、前記積層セルに積層方向に面圧を加える加圧機構を設けたことを特徴とする請求項１に記載の電気二重層キャパシタ。
【発明の詳細な説明】
【０００１】
【発明の属する技術分野】
この発明は、電気二重層キャパシタ（電気二重層コンデンサ）に関する。
【０００２】
【従来の技術】
近年、各種の蓄電装置（電動自動車の駆動電源等）として、急速充電が可能で充放電サイクル寿命が長い、電気二重層キャパシタの適用技術が注目される。
【０００３】
電気二重層キャパシタとして、セパレータ、分極性電極、集電極、分極性電極、セパレータからなる一組の構造部品を、一定数積み重ねてセルを構成するものがある。
【０００４】
また、長尺のセパレータを所定長毎に異なる方向に交互に折り返して、それぞれの間に電極板を挟み込み、セルを構成するものがある（特開平１０−１２５５５９号、特開平７−９４３７４号参照）。
【０００５】
【発明が解決しようとする課題】
しかしながら、このような従来の電気二重層キャパシタにあっては、それぞれの集電極あるいは電極板をキャパシタの端子に接続するため、それぞれの集電極にリード部を設け、これらのリード部を束ねて端子板に溶着する、あるいはそれぞれの電極板より集電部材を引き出し、これらの集電部材を結束して端子に接続する構成となっていたため、製作性が悪く、コストアップを招いていた。また、セルの組付作業性も悪かった。
【０００６】
この発明は、このような問題点を解決した電気二重層キャパシタを提供することを目的としている。
【０００７】
【課題を解決するための手段】
第１の発明は、セパレータの両側に分極性電極、両分極性電極の外側に集電極を積層して形成した長尺のセルシート基材を、所定長毎に異なる方向に交互に折り返して積層セルを構成すると共に、積層セルの一側の各折り返し部における外層部位の集電極に一方の集電体を接触させることで導通させ、他側の各折り返し部における外層部位の集電極に他方の集電体を接触させることで導通させてなり、前記積層セルならびに各集電体を収容するケースと、前記ケースの開口部内縁に嵌められる嵌合部に、内側に屈曲させた加圧固定部を形成させた蓋を設け、前記ケースの前記開口部内縁に前記蓋が嵌められ、前記ケースの開口端と前記蓋の嵌合上端部とが溶接され、前記蓋を介して前記積層セルに積層方向に所定の面圧を加える。
【０００８】
第２の発明は、第１の発明において、前記積層セルならびに各集電体を収容するケースを設け、前記積層セルはケース内において前記セルシート基材を所定長毎に異なる方向に交互に折り返して構成される。
【０００９】
第３の発明は、第１の発明において、前記積層セルならびに各集電体を収容するケースを設け、各集電体はそれぞれケース内の対向する側面部分に配設される。
【００１０】
第４の発明は、第１の発明において、前記加圧固定部を塑性伸張して、前記積層セルに積層方向に面圧を加える加圧機構を設ける。
【００１１】
【発明の効果】
第１、第２の発明によれば、積層セルの構成を容易に行え、良好な組付性、製作性を確保することができ、コスト低減を十分に図れる。
【００１２】
第３の発明によれば、各折り返し部における外層部位の集電極に集電体を簡単に接触、導通させることができ、一層良好な組付性、製作性を確保することができる。
【００１３】
第１、４の発明によれば、セルの各層内部を均一に密着でき、電気二重層キャパシタの良好な性能を維持できると共に、安定した品質を確保することができる。
【００１４】
【発明の実施の形態】
以下、本発明の実施の形態を図面に基づいて説明する。
【００１５】
図１、図２において、１０はセルシート基材を、１１は筺型のキャパシタケースを示す。
【００１６】
セルシート基材１０は、セパレータ１２の両側に分極性電極（活性炭電極）１３，１４を、両分極性電極１３，１４の外側に集電極１５、１６を積層して形成されると共に、所定の長さのものが用いられる。
【００１７】
ケース１１は、アルミ材等から所定の大きさに形成され、内面が絶縁シート３０で覆われる。
【００１８】
そして、このケース１１内に、セルシート基材１０が、セパレータ１２、分極性電極１３，１４に電解液を含浸させて、所定長さ毎に異なる方向に交互に折り返して収容され、積層セル１７が構成される。
【００１９】
この場合、セルシート基材１０は、折り返し部１８、１９がケース１１内のそれぞれ対向する側面（絶縁シート３０面）に当接する所定長さにて、折り返される。また、折り返し部１８、１９を含めず、最下層および最上層の長さは各層と同一の長さとなるように形成される。
【００２０】
そして、積層セル１７の一側の各折り返し部１８と、各折り返し部１８が当接するケース１１内の一側面（絶縁シート３０面）との間に集電体２０が差し込まれ、配置される。
【００２１】
また、積層セル１７の他側の各折り返し部１９と、各折り返し部１９が当接するケース１１内の他側面（絶縁シート３０面）との間に集電体２１が差し込まれ、配置される。
【００２２】
この場合、予め集電体２０，２１をケース１１内のそれぞれ該当する側面に配設しておき、その後、ケース１１内にセルシート基材１０を前述のように折り返して収容して、積層セル１７を構成するようにしても良い。
【００２３】
これにより、積層セル１７の一側の各折り返し部１８における外層部位の集電極１５が集電体２０と接触、導通され、他側の各折り返し部１９における外層部位の集電極１６が集電体２１と接触、導通される。
【００２４】
集電体２０，２１の上端部には、キャパシタの端子２２，２３が形成され、これらの端子２２，２３はケース１１の上蓋２４に設けられた端子孔２５，２６に挿通される。
【００２５】
ケース１１の上蓋２４は、ケース１１の開口部内縁に嵌められる嵌合部に、内側に屈曲させた加圧固定部２７（加圧機構）が形成される。
【００２６】
そして、ケース１１の開口部内縁に上蓋２４が嵌められ、ケース１１の開口端部と上蓋２４の嵌合上端部とが溶接されると共に、この後、図示しない油圧機等によって上蓋２４に所定の押圧力が加えられる。
【００２７】
これにより、上蓋２４の加圧固定部２７が塑性伸張され、上蓋２４を介して、積層セル１７に積層方向に所定の面圧が加えられた状態で保持される。
【００２８】
なお、予め積層セル１７の最上層、集電体２０，２１の上端部、上蓋２４の内面の各間には絶縁が施される。
【００２９】
このように、セパレータ１２の両側に分極性電極１３，１４、両分極性電極１３，１４の外側に集電極１５，１６を積層して形成した長尺のセルシート基材１０を、所定長毎に異なる方向に交互に折り返して積層セル１７を構成すると共に、積層セル１７の一側の各折り返し部１８における外層部位の集電極１５に集電体２０を接触させることで導通させ、他側の各折り返し部１９における外層部位の集電極１６に集電体２１を接触させることで導通させる構成としたので、積層セル１７の構成を容易に行え、従来のように各集電極にリード部を設けたり、集電部材を引き出す必要がなく、良好な組付性、製作性を確保することができ、コスト低減を十分に図れる。
【００３０】
また、集電体２０，２１をそれぞれケース１１内の対向する側面部分に配設するので、各折り返し部１８，１９における外層部位の集電極１５，１６に集電体２０，２１を簡単に接触、導通させることができ、一層良好な組付性、製作性を確保することができる。
【００３１】
また、ケース１１（上蓋２４）に、積層セル１７に積層方向に所定の面圧を加えると共に、その面圧を保持する加圧固定部２７を設けたので、セル１７の各層内部を均一に密着でき、キャパシタの良好な性能を維持できると共に、安定した品質を確保することができる。
【図面の簡単な説明】
【図１】実施の形態を示す断面図である。
【図２】部分断面図である。
【符号の説明】
１０  はセルシート基材
１１  ケース
１２  セパレータ
１３，１４  分極性電極
１５，１６  集電極
１７  積層セル
１８，１９  折り返し部
２０，２１  集電体
２２，２３  端子
２４  上蓋
２７  加圧固定部
【図１】
0003998428.tif 000002
【図２】
0003998428.tif 000003